(57)【要約】【課題】  施工（組立て）及び解体を容易に行うことができる間仕切り構造に用いられる、間仕切りの装着部材を提供する。【解決手段】  この間仕切り用装着部材１は、上面（又は下面）の中央部に長手方向に沿って、上方に突出した突出部３を形成した一対の長尺の装着主体２から構成されるもので、一方を天井側に、他方を床面側に固定することによって、従来のように天井面用と床面用で別個に製造する必要がなく、コストの低減を図ることができる。  同時に、建物躯体の天井面７と床面８のそれぞれに、前記突出部３が空間側に突出するように取付けることによって、間仕切り壁構造を簡単に施工することが可能となる。【選択図】      図１
2017122371.tif 000002
【特許請求の範囲】
【請求項１】
一対の装着主体から構成され、各装着主体は、その上部に段部を介して、間仕切り部材と係着する突出部が長手方向に沿って形成されていること
を特徴とする間仕切り用装着部材。
【請求項２】
前記装着部材は、
その両側面に、それぞれ長手方向に沿って所要の幅と深さの係合溝が形成されていること
を特徴とする請求項１に記載の間仕切り用装着部材。
【請求項３】
前記装着部材は、
前記突出部に、長手方向に所定の間隔で、多数の貫通孔が上下方向に形成されていること
を特徴とする請求項１又は２に記載の間仕切り用装着部材。
【請求項４】
所要の大きさと厚みを有する板状の間仕切り主体と、この間仕切り主体を室内に設けて間仕切るための一対の装着部材とからなるものであって、
前記間仕切り主体は、上下の端面部に前記装着部材と係合する係合部を有し、
前記装着部材は、所要の長さを有する装着主体の上面部に突出部が形成されたもので、
前記装着部材の一方を、間仕切りたい部位の天井面に、他方を前記天井面に相対する床面にそれぞれ固定し、
固定された装着部材の上下の突出部に、前記間仕切り主体に形成された係合部をそれぞれ係合させることによって、間仕切りを形成するよう構成されていること
を特徴とする間仕切り構造。
【請求項５】
前記間仕切り主体は、
上端側に、前記装着部材の突出部を受け入れる係合凹部が、下端側には、前記装着部材の突出部と係脱自在な切欠き部が形成されていること
を特徴とする請求項４に記載の間仕切り構造。
【請求項６】
前記装着部材は、
上面部に段部を介して形成した突出部を有する装着主体の相対する側面に、それぞれ所要の幅と深さを有する係合溝が形成されていること
を特徴とする請求項４に記載の間仕切り構造。
【請求項７】
前記装着部材は、
前記係合溝と係合する化粧板が付設され、前記装着部材と間仕切り主体との接合部を隠蔽するよう構成されていること
を特徴とする請求項６に記載の間仕切り構造。
【発明の詳細な説明】
【技術分野】
【０００１】
この発明は、室内を所定の空間に仕切るための間仕切りを、壁面に装着するための間仕切り用装着部材に関するものである。
より詳しくは、室内における間仕切りの施工及び解体を容易に行うことを可能にするとともに、床及び天井の強度の向上を可能にする間仕切り用装着部材および間仕切り構造に関するものである。
【背景技術】
【０００２】
従来、室内空間を間仕切るための間仕切壁構造が知られている。
このような間仕切り壁構造の一例が、特許文献１及び２に開示されている。
【０００３】
例えば、実用新案登録第３１５０５７２号公報（特許文献１）においては、多くの人手や熟練技術を必要とせず、間仕切り壁を天井と床面間に、簡単に効率よく取り付けることができる間仕切り壁構造が提案されている。
【０００４】
この間仕切り壁構造は、
木質の芯材枠内にハニカムコアを充填してなる間仕切りパネルを用いた間仕切り壁構造であって、
前記間仕切りパネルの下芯材の下面に、嵌合溝が長手方向に沿って形成され、
前記間仕切りパネルの上芯材の上面には、垂直段差面を有した段差部が形成されており、
前記上芯材の段差部に嵌合可能な段差部を有した天井桟が天井面に固定され、床面には方形断面の床桟が固定され、
前記床桟に該間仕切りパネルの下芯材の嵌合溝を嵌合させた状態で、前記間仕切りパネルを立ち上げ、該間仕切りパネルの上芯材の段差部を、前記天井桟の段差部に合わせた状態で、前記上芯材を前記天井桟に釘で固定し、前記天井桟と前記上芯材の両側または片側を覆って見切り縁を釘で固定するものである。
【０００５】
さらに、特開平１０−１４０７１０号公報（特許文献２）においては、反り難く、断熱性，防火性，軽量化，高級感に優れ、配線，配管工事がし易く、現場における寸法調整も容易で、更には手摺りなどの取付けも容易な間仕切り構造が提案されている。
【０００６】
この間仕切り構造は、
発泡成形樹脂材料からなる芯材の両面に、無機板よりなる面材が配されてなる間仕切りパネルであって、
芯材は面材より小さく、
少なくとも上下端面に長辺方向の溝部が形成されるように一体化されている間仕切りパネルが、複数枚隣接して配されており、
床用ランナーとパネルの床側端面の溝部との間に生じる空間に配線又は配管がなされており、切欠部には着脱可能な巾木が装着されているものである。
【先行技術文献】
【特許文献】
【０００７】
【特許文献１】実用新案登録第３１５０５７２号公報（実用新案登録請求の範囲，図１）
【特許文献２】特開平１０−１４０７１０号公報（特許請求の範囲，図２）
【発明の開示】
【発明が解決しようとする課題】
【０００８】
前記特許文献１に開示されている間仕切り壁構造は、間仕切りパネルの上芯材と嵌合する天井桟と、前記間仕切りパネルの下芯材と嵌合する床桟の間に、間仕切りパネルを嵌め込み、釘で固定するものである。
そのため、天井桟と床桟の少なくとも２種類の装着部材を必要とするので、生産効率が悪く、コストがかかるという問題を有している。
【０００９】
さらに、前記天井桟は、天井面に、前記床桟は床面に、それぞれ釘で固定するので、施工現場で、釘や接着剤を使用する従来の装着部材では、作業性が悪く、かつ手間が掛かるため、施工現場における施工性が悪いという問題もある。
【００１０】
前記特許文献２に開示されている間仕切り構造も、天井ランナーと床用ランナーの２種類の装着部材を使用するので、同様に、製造効率が悪く、コストがかかるという問題が発生する。
【００１１】
この発明はかかる現状に鑑み、施工（組立て）及び解体を容易に行うことができる間仕切り構造に用いられる、間仕切りの装着部材を提供せんとするものである。
【課題を解決するための手段】
【００１２】
すなわち、この発明にかかる請求項１に記載の発明は、
一対の装着主体から構成され、各装着主体は、その上部に段部を介して、間仕切り部材と係着する突出部が長手方向に沿って形成されていること
を特徴とする間仕切り用装着部材である。
【００１３】
この発明の請求項２に記載の発明は、
請求項１に記載の間仕切り用装着部材において、
前記装着部材は、
その両側面に、それぞれ長手方向に沿って所要の幅と深さの係合溝が形成されていること
を特徴とするものである。
【００１４】
この発明の請求項３に記載の発明は、
請求項１又は２に記載の間仕切り用装着部材において、
前記装着部材は、
前記突出部に、長手方向に所定の間隔で、多数の貫通孔が上下方向に形成されていること
を特徴とするものである。
【００１５】
この発明の請求項４に記載の発明は、
所要の大きさと厚みを有する板状の間仕切り主体と、この間仕切り主体を室内に設けて間仕切るための一対の装着部材とからなるものであって、
前記間仕切り主体は、上下の端面部に前記装着部材と係合する係合部を有し、
前記装着部材は、所要の長さを有する装着主体の上面部に突出部が形成されたもので、
前記装着部材の一方を、間仕切りたい部位の天井面に、他方を前記天井面に相対する床面にそれぞれ固定し、
固定された装着部材の上下の突出部に、前記間仕切り主体に形成された係合部をそれぞれ係合させることによって、間仕切りを形成するよう構成されていること
を特徴とする間仕切り構造である。
【００１６】
この発明の請求項５に記載の発明は、
請求項４に記載の間仕切り構造において、
前記間仕切り主体は、
上端側に、前記装着部材の突出部を受け入れる係合凹部が、下端側には、前記装着部材の突出部と係脱自在な切欠き部が形成されていること
を特徴とするものである。
【００１７】
この発明の請求項６に記載の発明は、
請求項４に記載の間仕切り構造において、
前記装着部材は、
上面部に段部を介して形成した突出部を有する装着主体の相対する側面に、それぞれ所要の幅と深さを有する係合溝が形成されていること
を特徴とするものである。
【００１８】
この発明の請求項７に記載の発明は、
請求項６に記載の間仕切り構造において、
前記装着部材は、
前記係合溝と係合する化粧板が付設され、前記装着部材と間仕切り主体との接合部を隠蔽するよう構成されていること
を特徴とするものである。
【発明の効果】
【００１９】
この発明の間仕切り用装着部材は、上面（又は下面）の中央部に長手方向に沿って、上方に突出した突出部を形成した一対の長尺の装着主体から構成されるもので、一方を天井側に、他方を床面側に固定することによって、従来のように天井面用と床面用で別個に製造する必要がなく、コストの低減を図ることができる。
同時に、建物躯体の天井面と床面のそれぞれに、前記突出部が空間側に突出するように取付けることによって、間仕切り壁構造を簡単に施工することが可能となる。
【００２０】
前記間仕切り用装着部材は、天井面に（特にその野縁に対して垂直に）配置して固着することによって、建物躯体に強固に固定される。
【００２１】
この発明の間仕切り構造は、室内空間を仕切る間仕切り主体と、この間仕切り主体を室内に固定するための装着部材からなるもので、室内空間をきわめて簡単かつ容易に所望の大きさに間仕切ることができる。
したがって、室内空間の間仕切りを、熟練技術者を必要とせずに、低コストで簡単に施工することができる。
【００２２】
特に、この発明の間仕切り構造においては、間仕切りは、所要の大きさと厚みを有する方形板状体から構成され、その上端面に長手方向に沿って所要の深さの溝からなる係合凹部が形成されるとともに、下端面を長手方向に沿って内側に切り欠いて係合部としての切欠き部が形成されたものである。
したがって、天井側に配した装着主体の突出部に間仕切りの上端側に形成された係合凹部を、また下端側に形成された切欠き部を床面上に設けた装着部材上に係止させることによって、室内の所要部位に簡単かつ容易に間仕切りを設置することができる。
【００２３】
前記間仕切り構造においては、前記固定部材として、ボルトやビスなどの着脱可能な部材を使用するので、間仕切りの施工・解体は、容易である。
【００２４】
この発明の装着部材は、天井面と床面のそれぞれに設けられるもので、天井面と床面との間に配された間仕切り主体を保持するので、天井及び床の強度が向上する。
【００２５】
前記装着部材を構成する装着主体の両側面には、それぞれ長手方向に沿って所要の幅と深さの係合溝が形成され、長手方向に沿って前記係合溝と係合する係合部を有する、所要の幅と長さの化粧板が、前記装着部材と前記間仕切り主体との間の隙間（接合部）を覆うように取付けられるので、前記隙間を外部から視認不能又は視認困難な状態にし、外観の向上を図ることができる。
【図面の簡単な説明】
【００２６】
【図１】この発明にかかる間仕切りの装着部材の一例を示す斜視図である。
【図２】この発明にかかる間仕切りの装着部材を天井面に取り付けた状態の一例を示す説明図である。
【図３】この発明にかかる間仕切りの装着部材を用いて構成した間仕切り構造の一例を示す縦断面図である。
【図４】この発明にかかる間仕切りの装着部材を用いて構成した間仕切り構造の他の例を示す縦断面図である。
【発明を実施するための形態】
【００２７】
以下、この発明の間仕切りの装着部材の一実施の形態の構成を、図面を参照して説明する。
なお、この発明は、図面に示す形態にのみ限定されるものではなく、要旨を変更しない範囲内において種々改良を加えることができるものである。
【００２８】
この発明にかかる間仕切り用装着部材１は、構築物の内部空間を、所定の大きさの空間に間仕切るためのものであって、当該構築物の間仕切りたい部位の天井面と床面に相対させて配置する一対の装着主体２，２からなるものである。
【００２９】
前記各装着主体２は、図１に示すように、所要の厚みと長さとを有する柱状体の上部に段部を介して長手方向に沿って突出部３が一体的に形成されるとともに、下部の相対する側面に、それぞれ所要の開口幅と深さを有する係合溝４，４が長手方向に沿って、一端から他端まで形成されている。
【００３０】
さらに、前記突出部３には、長手方向に所要の間隔を存してビスや釘などの固定部材６を挿通させるための貫通孔５，５・・・が、上下方向に貫通させて形成されている。
【００３１】
なお、この実施例において、前記装着部材１を木材で構成しているが、その材質については、特に制限はなく、木材の他、金属（軽量鉄材や、アルミなど）や合成樹脂などを選択することができる。
【００３２】
かかる一対の装着部材１，１は、図３に示すように、その一方を天井面（特に野縁）７に、他方を床面８にそれぞれ適宜の固定部材６によって固定して使用するものである。
【００３３】
なお、前記係合溝４，４は、相対する天井面７および床面８に固定した上下一対の装着部材１，１に、後述する間仕切り９を装着した際、各装着部材１，１と間仕切り９との装着部に生じる隙間（接合部）などを隠蔽するための化粧板１０を装着するためのものである。
なお、前記係合溝４の幅、深さ及び長さは、それぞれ、適用しようとする化粧板１０の係合部の厚み、短手方向の長さ及び長手方向の長さに相当するものである。
【００３４】
以下、この発明にかかる装着部材１を用いて、間仕切り９を室内空間に設ける方法を具体的に説明する。
まず、前記間仕切り９を設けたい部位の天井面７と、この天井面７に相対する床面８に沿って、前記装着部材１，１の各突出部３，３同士が相対する状態で、ボルトやビス、木ネジなどの着脱可能な固定部材を用いて固定することが好ましい。
その結果、間仕切り位置を家庭環境に応じて容易に変更することが可能なる。
【００３５】
ついで、図３に示すように、間仕切り９を、前記装着部材１，１を利用して取り付けるものである。
前記間仕切り９は、図３で明らかなように、所要の大きさと厚みを有する矩形状の板材で構成されるものであって、その上端面には、長手方向に沿って所要の深さの溝からなる係合凹部９ａが形成され、前記装着部材１ａの突出部３と係合可能に構成されている。
【００３６】
さらに、前記間仕切り９の下端面には、一方の縁部９ｃのみを残して長手方向に沿って内側に切り欠くことによって、切欠き部９ｂが形成されている。
この切欠き部９ｂは、前記装着部材１の突出部３と係脱自在に構成されたものである。
【００３７】
この間仕切り９の係合凹部９ａに前記装着部材１の突出部３を嵌入させて、前記仕切り９を起立した状態に維持する。
この状態で、前記切欠き部９ｂを、前記装着部材１の突出部３と係合させ、その後、係合凹部９ａと突出部３、並びに縁部９ｃと突出部３を、ボルトやビス、木ネジなどの着脱可能な固定部材で固定する。
【００３８】
このように前記間仕切り９は、天井面７と床面８の間に簡単に装着することができ、ボルトやビス、木ネジなどの着脱可能な固定部材で簡単に固定することができるので、熟練技術者を必要とせずに、低コストで施工することができる。
なお、間仕切りの解体は、上記と逆の手順で行えばよい。
【００３９】
さらに、前記仕切り９の左右の幅方向に、複数の間仕切りを接合して並設する場合には、前記同様に施工すればよい。
【００４０】
なお、前記装着部材１，１と前記間仕切り９との間（接合部）には、隙間が生じる。
そこで、所要の幅と長さの化粧板１０を、前記装着部材１，１に、前記隙間（接合部）を覆うように取付けることで、前記隙間を外部から視認不能又は視認困難な状態にし、外観の向上を図ることができる。
そのため、前記装着部材１を構成する装着主体２の両側面には、それぞれ長手方向に沿って所要の幅と深さの係合溝４が形成され、前記化粧板１０の裏面には係合溝４と係合する係合部１０ａが長手方向に沿って設けられている。
【産業上の利用可能性】
【００４１】
この発明にかかる間仕切り用装着部材は、間仕切り構造の施工及び解体を容易に行うことを可能にすると共に、床及び天井の強度の向上を可能にするので、建築業界において幅広く利用されるものである。
【符号の説明】
【００４２】
１        装着部材
２        装着主体
３        突出部
４        係合溝
５        貫通孔
６        固定部材
７        天井面
８        床面
９        間仕切り（間仕切り主体）
９ａ      係合凹部（溝部）
９ｂ      切欠き部
９ｃ      縁部
１０      化粧板
【図１】
2017122371.tif 000003
【図２】
2017122371.tif 000004
【図３】
2017122371.tif 000005
【図４】
2017122371.tif 000006